(57)【要約】【課題】  テーブルやカウンターなどの天板の外周縁に沿って手摺りを設置可能とし、更には手摺りと天板の外周縁との間隔を調節可能で、使用しない時は手摺りを天板の裏側に収納可能とする手摺り用ブラケットを提供する。【解決手段】  天板５の外周縁５１に沿って配置される手摺り６を取り付けるための手摺り用ブラケット１Ａであって、前記天板５の裏面５２に固定される固着部２と、前記手摺り６を固定する支持部３と、前記固着部２と前記支持部３とを連結する腕部４とからなり、前記腕部４が互いに対向する一対の側壁４１，４２と前記側壁を連結する上壁４３とで形成された断面中空で底面を開放した形状であるとともに、前記腕部４を形成する一対の側壁４１，４２が前記固着部２の下面２２から前記支持部３の下面３２までそれぞれ延設されている。【選択図】図１
2016180262.tif 000002
【特許請求の範囲】
【請求項１】
天板の外周縁に沿って配置される手摺りを取り付けるための手摺り用ブラケットであって、前記天板の裏面に固定される固着部と、前記手摺りを固定する支持部と、前記固着部と前記支持部とを連結する腕部とからなり、前記腕部が互いに対向する一対の側壁と前記側壁を連結する上壁とで形成された断面中空で底面を開放した形状であるとともに、前記腕部を形成する一対の側壁が前記固着部の下面から前記支持部の下面までそれぞれ延設されていることを特徴とする手摺り用ブラケット。
【請求項２】
前記一対の側壁の間隔が、前記固着部側が広く前記支持部へ向けて収束するように形成されていることを特徴とする請求項１記載の手摺り用ブラケット。
【請求項３】
前記腕部が下方に凹んでいることを特徴とする請求項１または２記載の手摺り用ブラケット。
【請求項４】
前記腕部を形成する一対の側壁が前記固着部と結合する結合位置の両外側、および前記腕部を形成する一対の側壁が前記支持部と結合する結合位置の両外側に、前記天板の裏面ならびに手摺りの底面にそれぞれ固着するための固着ネジの取付孔が形成されていることを特徴とする請求項１，２または３記載の手摺り用ブラケット。
【請求項５】
天板の外周縁に沿って配置される手摺りを取り付けるための手摺り用ブラケットであって、前記天板の裏面に固定される固着部と、前記手摺りを固定する支持部と、前記固着部と前記支持部とを連結する腕部とからなり、前記固着部と前記腕部とを、前記固着部に形成した連結部に前記腕部の基部を前記天板の奥行き方向に往復動可能でかつ所望の位置で固定可能に係止することで連結して前記天板の外周縁と手摺りとの間隔を調節可能としたことを特徴とする手摺り用ブラケット。
【請求項６】
前記連結部が前記固着部の下面における幅方向のほぼ中央部に垂設され所定奥行き幅と高さを有する板状であるとともに所定の間隔を有して配置される複数のネジ孔または奥行き方向に延びるネジ長孔が形成され、前記腕部の先部は前記支持部の下面に一体に連結し基部は前記固着部に垂設した連結部に重合する板状であって前記連結部に形成したネジ孔またはネジ長孔に一致する高さ位置に前記ネジ孔またはネジ長孔に対応するネジ長孔またはネジ孔が形成されており、前記腕部の基部と前記固着部の連結部を奥行き方向の所望位置で重ねるともに互いに連通させた前記ネジ孔とネジ長孔とに固定ネジを締結して前記腕部の基部と前記固着部の連結部を固定することにより前記天板の外周縁と手摺りとの間隔を調節可能としたことを特徴とする請求項５記載の手摺り用ブラケット。
【請求項７】
前記固着部の下面に垂設されている連結部における片側の垂面に奥行き方向両端を開口した溝状凹部が形成されるとともに前記溝状凹部に前記ネジ孔またはネジ長孔が形成され、前記溝状凹部に前記腕部の基部が奥行き方向に往復摺動可能に嵌装されていることを特徴とする請求項６記載の手摺り用ブラケット。
【請求項８】
前記腕部が前記基部を中心に回動可能で、かつ奥行き側に反転させた状態で前記固着部の連結部に重合させて固定可能であり、前記支持部に取り付けた前記手摺りを前記天板の外周縁から突出しない前記天板の裏面近傍に格納可能としたことを特徴とする請求項５，６および７記載の手摺り用ブラケット。
【請求項９】
前記連結部が前記固着部の下面における幅方向のほぼ中央部に垂設され所定奥行き幅と高さを有するとともに、前記連結部に前記腕部の基部が奥行き方向に往復動可能に挿通する挿通孔と当該挿通孔に連通して所定の間隔で配置される複数のネジ孔または奥行き方向に延びるネジ長孔とが形成され、前記基部には前記連結部に形成したネジ孔またはネジ長孔に一致する位置に前記ネジ孔またはネジ長孔に対応するネジ長孔またはネジ孔が形成されており、前記腕部の基部を前記連結部の前記挿通孔に所望の位置まで挿通し、互いに連通させた前記ネジ孔とネジ長孔とに固定ネジを締結して前記腕部の基部と前記固着部の連結部を固定することにより前記天板の外周縁と手摺りとの間隔を調節可能としたことを特徴とする請求項５記載の手摺り用ブラケット。
【発明の詳細な説明】
【技術分野】
【０００１】
本発明は、テーブルなどの家具や壁面、出窓等に設置したカウンターや棚などのような天板に手摺りを設置するために用いられる手摺り用ブラケットに関する。
【背景技術】
【０００２】
歩行の補助および歩行の安全を確保するために室内の壁面や柱などに手摺りを設置することは周知のことであるが、これら以外の設置場所で使用する手摺りとして例えばテーブルの天板に設置したものが特開２００５−１１１０９２号公報（特許文献１）、特開２００３−２２０１０３号（特許文献２）などに提示されている。
【０００３】
テーブルやカウンターなどは飲食や読書、最近ではコンピュータ操作など日常生活に欠くことができない作業を行うために使用するものであり、特にテーブルは室内の適所に移動し設置できることから壁面を離れて使用が可能であり、これらに手摺りが付設されている事は日常生活や仕事場などにおいて極めて有用であると考えられる。
【０００４】
ところが、前記特開２００５−１１１０９２号公報（特許文献１）に記載の発明は、図１２に示すように手摺り６Ａを天板５Ａの上面５０Ａに立設させたものであり、テーブルの最大の機能である天板の使用に邪魔となり使い勝手が悪いとともに外観上も美麗とは言い難い。また、特開２００３−２２０１０３号（特許文献２）に記載の発明は図１３に示すように手摺り６Ｂが天板５Ｂの外周縁５１Ｂに設置したブラケット１Ｂにより付設されたものであり、天板５Ｂの使用には特に支障はないものの、比較的薄い天板や構造的に軽易な天板を用いたものについては無理に取り付けようとして亀裂を生じてしまうなど取付が困難であったり、取り付けられたとしても十分な強度が得られず、使用時の荷重の作用により外れたり取付部が損傷し易いという問題点を抱えている。
【０００５】
以上のような従来の手摺り付きテーブルにおける問題点は、いずれも手摺りを設置する際に使用する手摺り用ブラケットとして家屋の柱や壁面といった垂直面に手摺りを取り付けるための従来周知のものを用いていることに起因している。
【０００６】
これらに対し特開２００６−１４４４５１号公報（特許文献３（以下「文献３」という））には、図１４に示すように、床面方向に凹んで湾曲させた腕部４Ｃと、腕部４Ｃの一端側に備えられて天板(カウンター)５Ｃの裏面５２Ｃに取り付けられる固着部２Ｃと、前記腕部４Ｃの他端側に備えられて手摺り６Ｃの下面部が取り付けられる支持部３Ｃとを備えている手すり取付金物が提示されている。
【０００７】
この文献３に記載された手すり取付金物は、固着部２Ｃを天板５Ｃの上面５０Ｃや外周縁５１Ｃのような垂直面ではなく天板５Ｃの裏面５２Ｃに設置することから取付位置による強度や美観的な問題点は改善されている。
【０００８】
しかしながら、前記文献３に記載された手すり取付金物は、図示するように腕部４Ｃが丸棒状であるととともに固着部２Ｃが丸棒状の腕部４Ｃの幅（直径）とほぼ同一の幅で奥行き方向に延設された細長い形状であることから、鋳造による一体成形には向いているものの、腕部４Ｃが固着部２Ｃの前端部で連結していることから使用時の固着部２Ｃへの荷重の偏りが著しく、また奥行き方向に細長い固着部２Ｃが奥行き方向に一列に配置されたビスにより固着されているため、手摺り６Ｃの床方向への荷重のみならず左右方向への捻れに対しても弱く安定性に欠け、例え比較的短尺な手摺りであっても手摺りの複数箇所に設置を要するなど十分な固着強度とは言えない構成となっている。
これに対し図示されたように天板５Ｃの裏面５２Ｃに固着部２Ｃを収納する取付凹部５３Ｃを形成することで左右方向への捻れに対応することも考えられるが、天板裏面に固着部２Ｃの寸法に合致した取付凹部５３Ｃの造作が必要であるなど汎用性、利便性に欠けるものとなる。
【０００９】
上記丸棒状の腕部で強度を担保するためには腕部４Ｃを下方に大きく湾曲させて荷重を逃がす必要が生じるが、その場合は腕部４Ｃが椅子に着席してテーブル等を使用する人の太ももと干渉するおそれがあり、かと言って腕部４Ｃや固着部２Ｃを単に太くすれば軽量化が困難で材料費も増大してしまうという問題点もある。
【００１０】
次に、特開２００６−１１６２０９号公報（特許文献４）には、図１５（ａ）（ｂ）に示したように、天板５Ｄの外周縁５１Ｄに水平方向に引き出し可能な手摺り６Ｄを装備したテーブルが提示されており、このテーブルは手摺り６Ｄが天板縁部の一部として形成されているので必要に応じて手摺りを利用でき、使わない場合には天板として使用できて通常のテーブルと使い勝手や外観上ほぼ同じで違和感が無いという利点を有しているが、手摺りの支持手段の構造が天板５Ｄ内部への造作を要するなど複雑で製造が容易でなく、また既存のテーブルに後付により設置する事ができず、更に、手摺りがテーブルの一部を形成するので使い勝手の良い別の手摺りを自由に選択して使用できないという問題がある。
【先行技術文献】
【特許文献】
【００１１】
【特許文献１】特開２００５―１１１０９２号公報
【特許文献２】特開２００３−２２０１０３号公報
【特許文献３】特開２００６−１４４４５１号公報
【特許文献４】特開２００６−１１６２０９号公報
【発明の概要】
【発明が解決しようとする課題】
【００１２】
本発明は、テーブルやカウンターなどの天板の外周縁に沿って手摺りを、確実強固に且つ美観を損なわずに設置することは言うまでもなく、手摺りの多様な配置利用も可能で、製造容易で軽量である手摺り用ブラケットを提供すること、更に、手摺りと天板の外周縁との間隔を調節可能とし、加えて手摺りを使用しないときには手摺りを取り外すことなく天板の裏側に収納可能な手摺り用ブラケットを提供することを課題とする。
【課題を解決するための手段】
【００１３】
前記課題を解決するためになされた本発明は、天板の外周縁に沿って配置される手摺りを取り付けるための手摺り用ブラケットであって、前記天板の裏面に固定される固着部と、前記手摺りを固定する支持部と、前記固着部と前記支持部とを連結する腕部とからなり、前記腕部が互いに対向する一対の側壁と前記側壁を連結する上壁とで形成された断面中空で底面を開放した形状であるとともに、前記腕部を形成する一対の側壁が前記固着部の下面から前記支持部の下面までそれぞれ延設されていることを特徴とする。
【００１４】
本発明によれば、天板の裏面に固着部を固着させる構成であることから、天板の表面や外周縁に従来の手摺り用ブラケットを用いる場合のようにテーブル本来の使用や取付けに関して支障がないばかりか、前記腕部を互いに対向する一対の側壁と前記側壁を連結する上壁とで形成された断面中空で底面を開放した形状として強度と軽量化を両立させ、かつ前記両側壁が前記固着部の下面から前記支持部の下面までそれぞれ延設されて荷重を下面から支えることで、手摺りの上下方向および左右方向へのねじれに対する一層の強度の増加と軽量化との両立を実現することができ、また一体成形が可能で大量生産が容易であり美観的にも優れているという利点を有している。
【００１５】
また、本発明において前記腕部を構成する前記両側壁の間隔を前記固着部側が広く前記支持部へ向けて収束するように形成した場合には、前記両側壁が前記固着部の下面から前記支持部の下面までそれぞれ延設されかつ固着部側の両側壁の間隔が広く形成されていることで上下左右方向への荷重に強く天板への固着も強固で安定している一方、手摺りが固定される支持部側の前記腕部の両側壁の間隔は狭く形成されていることで手摺りを掴む際に腕部が邪魔になり難く、手摺りの長さを有効に利用でき、例えばテーブルの外周縁に人数分の個人用の比較的短尺な手摺りを配置しそれぞれの手摺りの中央部を１つのブラケットで支持する構成とすれば、歩行や立ち上がりの補助、身体の引き寄せ、着席中の身体の支えなどだけでなく、手摺りの両側から手提げ袋などを引っかけるなど便利な使用法も可能である。
【００１６】
更に、本発明において、前記腕部が下方に向けて凹んでいる場合には、腕部がアーチ効果により下方向への力に対して更に耐性が強化され、全体として強度を担保しつつも下方への凹みの増大を押さえて小型化することができるとともに、手摺りと天板との間に手摺りを掴んだりそのまま左右方向に移動するための十分な空間が形成されるばかりでなく手摺りと天板の間でブラケットが下方に隠れるので美観的にも優れたものとなる。
【００１７】
更にまた、本発明において、前記腕部を形成する一対の側壁が前記固着部と結合する結合位置の両外側、および前記腕部を形成する一対の側壁が前記支持部と結合する結合位置の両外側に、前記天板の裏面ならびに手摺りの底面にそれぞれ固着するための固着ネジの取付孔が形成されている場合には、天板および手摺りとの固着が強固で取付作業が容易であり、ことに天板の裏面に固着部をバランスよく全面に渡って均一に固着することができるので抜脱方向のみならず左右方向の荷重にも強固で安定した固着を実現することができる。
【００１８】
本願のもう一つの発明は、天板の外周縁に沿って配置される手摺りを取り付けるための手摺り用ブラケットであって、前記天板の裏面に固定される固着部と、前記手摺りを固定する支持部と、前記固着部と前記支持部とを連結する腕部とからなり、前記固着部と前記腕部とを、前記固着部に形成した連結部に前記腕部の基部を前記天板の奥行き方向に往復動可能でかつ所望の位置で固定可能に係止することで連結して前記天板の外周縁と手摺りとの間隔を調節可能としたことを特徴とするものであり、日常生活において利便性の高い天板の外周縁に沿う手摺りの天板外周縁との間隔を調節可能としてさらに利便性を高めている。
【００１９】
また、前記もう一つの発明において、前記連結部が前記固着部の下面における幅方向のほぼ中央部に垂設され所定奥行き幅と高さを有する板状であるとともに所定の間隔を有して配置される複数のネジ孔または奥行き方向に延びるネジ長孔が形成され、前記腕部の先部は前記支持部の下面に一体に連結し基部は前記固着部に垂設した連結部に重合する板状であって前記連結部に形成したネジ孔またはネジ長孔に一致する高さ位置に前記ネジ孔またはネジ長孔に対応するネジ長孔またはネジ孔が形成されており、前記腕部の基部と前記固着部の連結部を奥行き方向の所望位置で重ねるともに互いに連通させた前記ネジ孔とネジ長孔とに固定ネジを締結して前記腕部の基部と前記固着部の連結部を固定することにより前記天板の外周縁と手摺りとの間隔を調節可能とした場合は、簡単な構造と簡単な操作で天板の外周縁と手摺りの間隔を確実に調整することができる。
【００２０】
さらに、前記固着部の下面に垂設されている連結部における片側の垂面に奥行き方向両端を開口した溝状凹部が形成されるとともに前記溝状凹部に前記ネジ孔またはネジ長孔が形成され、前記溝状凹部に前記腕部の基部が奥行き方向に往復摺動可能に嵌装されている場合には、腕部の基部が嵌装された溝状凹部に上下方向の動きを規制され使用時に手摺りにかかる上下方向の力を前記溝状凹部が受けて前記基部と前記摺動部の連結を強化することが可能となり、また、手摺りと天板との距離を調整する際にも固着ネジを緩めた状態で基部を溝状凹部に嵌装させた状態で腕部を往復動させて調整することが可能でありきわめて作業性が良く便利である。
【００２１】
更にまた、前記腕部が前記基部を中心に回動可能で、かつ奥行き側に反転させた状態で前記固着部の連結部に重合させて固定可能であり、前記支持部に取り付けた前記手摺りを前記天板の外周縁から突出しない前記天板の裏面近傍に格納可能とした場合には、手摺りを使用しない時に、手摺りを取り外すことなく邪魔にならない天板の裏面下に格納できるので別途保管する手間や場所も要さず、加えて、使用時にはそのままの状態で、反転させることにより極めて容易に手摺りを設置することができる。
【００２２】
前記連結部が前記固着部の下面における幅方向のほぼ中央部に垂設され所定奥行き幅と高さを有するとともに、前記連結部に前記腕部の基部が奥行き方向に往復動可能に挿通する挿通孔と当該挿通孔に連通して所定の間隔で配置される複数のネジ孔または奥行き方向に延びるネジ長孔とが形成され、前記基部には前記連結部に形成したネジ孔またはネジ長孔に一致する位置に前記ネジ孔またはネジ長孔に対応するネジ長孔またはネジ孔が形成されており、前記腕部の基部を前記連結部の前記挿通孔に所望の位置まで挿通し、互いに連通させた前記ネジ孔とネジ長孔とに固定ネジを締結して前記腕部の基部と前記固着部の連結部を固定することにより前記天板の外周縁と手摺りとの間隔を調節可能とした場合には、前記腕部の基部が前記挿通孔内で支持されることにより上下左右あらゆる方向への荷重に抗してより強固な連結となる。
【発明の効果】
【００２３】
本発明によると、従来の手摺り用ブラケットを用いる場合のように天板上面の使用や取付けに関して支障がないばかりか、手摺りの上下方向および左右方向への荷重に極めて強く天板裏面への固着も強固で安定し、軽量化や小型化と強度の増加の両立を図ることができ、また着席した際の人の太ももに干渉するおそれもなく、大量生産が容易で美観的にも優れていることで、テーブルなど天板外周縁に沿って手摺りを配置する利便性を容易に実現することができる。またこれにより既成の一般的なテーブルなどにも後付で容易に手摺りを配置することができ、その際にテーブルなどの裏面にブラケットの取付を安定させるための取付凹部を穿つなど余計な作業の必要が無く、また例えば天板の外周縁に比較的短尺な手摺りを複数配置するなど手摺りの多様な配置利用にも適する。
【００２４】
また、もう１つの発明では手摺りと天板外周縁との間隔の調整が容易で使用感の向上につながり、さらに反転させてそのまま天板の裏に格納しておくことも可能であり、強度においても問題のないものとなっている。
【図面の簡単な説明】
【００２５】
【図１】本発明の好ましい実施の形態を示す斜視図
【図２】（ａ）は図１に示した実施の形態における取付状態を示す断面図、（ｂ）は図１に示した実施の形態における取付状態を示す底面図
【図３】（ａ）は図２（ａ）におけるＡ−Ａ断面図、（ｂ）は図２（ａ）におけるＢ−Ｂ断面図
【図４】（ａ）は図１に示した実施の形態における使用状態を示す概略図、（ｂ）は図１に示した実施の形態における他の使用状態を示す概略図
【図５】（ａ）は本発明の異なる実施の形態において天板と手摺りの間隔を空けた状態を示す分解斜視図、（ｂ）は本発明の異なる実施の形態において天板と手摺りの間隔を縮めた状態を示す斜視図
【図６】（ａ）は図５に示した実施の形態の天板と手摺りの間隔を空けた使用状態を示す断面図、（ｂ）は図５に示した実施の形態の天板と手摺りの間隔を空けた使用状態を示す底面図
【図７】（ａ）は図５に示した実施の形態の天板と手摺りの間隔を縮めた使用状態を示す断面図、（ｂ）図５に示した実施の形態の天板と手摺りの間隔を縮めた使用状態を示す底面図
【図８】（ａ）は図５に示した実施の形態の腕部を回動自在にした状態を示す斜視図、（ｂ）は図５に示した実施の形態の腕部を反転させて固定した状態を示す斜視図
【図９】（ａ）は本発明の異なる実施の形態を示す斜視図、（ｂ）は本発明のさらに異なる実施の形態を示す斜視図
【図１０】図１に示した実施の形態における（ａ）右側面図、（ｂ）正面図、（ｃ）背面図、（ｄ）上面図、（ｅ）底面図
【図１１】図５に示した実施の形態における（ａ）右側面図、（ｂ）左側面図、（ｃ）正面図、（ｄ）背面図、（ｅ）上面図、（ｆ）底面図
【図１２】従来例の使用状態を示す斜視図
【図１３】他の従来例の使用状態を示す斜視図
【図１４】他の従来例を示す分解斜視図
【図１５】（ａ）は他の従来例を示す概略平面図、（ｂ）は平面図
【発明を実施するための形態】
【００２６】
以下、本発明の好ましい実施の形態について図面を参照して詳細に説明する。
【００２７】
図１乃至図４は例えばテーブルなどの天板５の外周縁５１に沿って断面が円形である棒状の手摺り６を取り付ける場合に使用される本発明における手摺り用ブラケット１の好ましい実施の形態を示すものである。
【００２８】
手摺り用ブラケット１は、天板５の裏面５２に固定される水平で左右方向（天板５の外周縁５１に沿う方向）が長辺である平面が矩形状の取付面２１を有する固着部２と、手摺り６の外周径に合わせて所定の径で湾曲している円弧状の支持面３１を有して前記手摺り６が固定される支持部３と、前記固着部２と前記支持部３とを連結する腕部４とが、例えば金属や樹脂などにより一体的に形成されている。
【００２９】
前記腕部４は、互いに対向して一定の間隔を有する一対の側壁４１，４２と前記側壁を連結する上壁４３とで形成され、図３に示すように、断面中空で底面を開放したほぼコ字形であるとともに、前記腕部４を形成する一対の側壁４１，４２が前記固着部２の下面２２から前記支持部３の下面３２まで延設されており、一対の側壁４１，４２の基端部４１ａ，４２ａが固着部２の下面２２と、先端部４１ｂ，４２ｂが前記支持部３の下面３２とそれぞれ結合して連結されている。
【００３０】
前記一対の側壁４１，４２の間隔が前記固着部２側の幅Ｗ１より前記支持部３側の幅Ｗ２の方が狭くなるよう固着部２側から支持部３側へ向けて収束するように形成されている。
【００３１】
図２（ａ）および（ｂ）に示すように、前記腕部４を形成する一対の側壁４１，４２の基端部４１ａ，４２ａが固着部２の下面２２と結合する結合位置の両外側となる四隅に取付ネジ孔２３，２３，２３，２３が、また一対の側壁４１，４２の先端部４１ｂ，４２ｂが前記支持部３の下面３２と結合する結合位置の両外側に取付ネジ孔３３，３３が貫通形成されており、固着部２の取付面２１を天板５における裏面５２の所定位置に配置して取付面２１の四隅に形成した取付ネジ孔２３，２３，２３，２３に止めネジ７１，７１，７１，７１を底面側から差し込み螺締して手摺り用ブラケット１を固着する。
【００３２】
同様にして図４（ａ）に示すように、天板５の外周縁５１方向に所定の間隔で複数個の手摺り用ブラケット１を並列固着し、図１および図２に示すように、それらの支持部３の支持面３１に手摺り６を架設して、前記支持部３に貫通形成した取付ネジ孔３３，３３に止めネジ７２，７２を下面側から差し込み螺締して固着することにより手摺り６を天板５の外周縁５１に沿って外周縁５１と所定の間隔を設けて取り付ける。
【００３３】
前記腕部４は下方に向けて湾曲して凹んだ形状であり、腕部がアーチ効果により下方向への力に対しての耐性が強化されるが、前記腕部４は上述のような構造からも強度が発揮されることから、湾曲の下方への凹みは、天板５の利用のために椅子に着席する人の太ももに干渉するほど下方である必要は無い。そして下方に向けて湾曲して凹んだ形状により、手摺り６と天板５の外周縁５１との間に手摺りを掴んだりそのまま左右方向に移動するための十分な空間が確保されるばかりでなく手摺り６と天板５の間で手摺り用ブラケット１が下方に隠れるので美観的にも優れたものとなる。
【００３４】
本実施の形態では腕部４が、一対の側壁４１，４２と両側壁を連結する上壁４３とで形成される底面を開口した断面中空のほぼコ字形であることから上下方向のみならず左右方向（手摺り６の軸線方向）への荷重に対しても十分な強度を有し、しかも腕部４は下方向に向けて湾曲したアーチ構造であることから、軽量でありながら手摺り使用時に加わる上下方向および左右方向いずれの荷重にも十分に耐えることができる。
【００３５】
本実施の形態によると、固着部２の取付面２１が左右方向が長辺である矩形状でその全面を天板５の裏面５２に当接させ、両側壁４１，４２が前記固着部２と結合する結合位置の両外側となる四隅で止めネジ７１・・７１により固着するものであることからきわめて安定した状態で強固に天板５に固着することができる。
【００３６】
また、本実施の形態では、前記腕部４の断面コ字形を形成している互いに対向して一定の間隔を有して配置される一対の側壁４１，４２の基端部４１ａ，４２ａが固着部２の下面２２と、先端部４１ｂ，４２ｂが前記支持部３の下面３２とそれぞれ結合して荷重を下方から分散支持し、使用時に手摺り６にかかる荷重が重点的に作用する腕部４と支持部３および固着部２との連結部分が強化されているので耐久性に優れる。
【００３７】
さらに、前記一対の側壁４１，４２の間隔が前記固着部２側で広く形成されることで手摺り６を上下左右方向への荷重に対して安定して支持できるとともに腕部４と固着部２の連結が強化され、他方、支持部３側が狭く形成されたことにより手摺り６の長さの有効利用を実現し例えば手摺り６を握る際の腕部４による手摺り６の握り幅の減少を防止することができ、使い勝手も向上している。
【００３８】
更にまた、前記支持部３の支持面３１が前記手摺り６の外周縁に沿う様に湾曲して凹んだ形状として、手摺り６を止めネジ７２，７２により支持部３に固着した際安定した固着を実現し、かつ前記止めネジ７２，７２の位置が前記両側壁が前記支持部と結合する結合位置の両外側であることにより一層安定した手摺りの固着を実現する。
【００３９】
なお、本実施の形態において腕部４は下方に湾曲して凹んだ形状となっているが、これに限らず例えば上方開放のコ字型でもよく（図示せず）、腕部４は断面中空で底面を開放したほぼコ字形としたが、例えば底面を開放した断面矩形、断面弧状、逆Ｕ字などでもよい（図示せず）。さらに手摺り６の形状も断面円形に限らず矩形、逆台形などでもよい（図示せず）。
【００４０】
本実施の形態においては手摺り用ブラケット１は鋳造により一体成形されるものとしたが、生産の方法は鋳造に限らず射出成型その他の成型手段を用いてもよく、それぞれの構成要素を別体で形成し接着その他の接続方法で一体としてなるものであっても実施が可能であることは言うまでも無い。
【００４１】
本実施の形態の手摺り用ブラケット１によれば使用者は天板を有する既存のテーブルその他の家具に前記天板の裏面を用いてその種類を選ばずに手摺りを設置する事が可能で且つテーブルなどの裏面にブラケットの取付を安定させるための取付凹部を穿つなど余計な作業の必要が無く、また手摺りの使用時には邪魔になりづらく、使用の際に求められる強度を満足しつつ簡易な構造で特に鋳造に適した形状で製造が可能である手摺り用ブラケットを提供する事が可能である。
【００４２】
図４（ｂ）は本実施の形態の手摺り用ブラケット１の他の使用例であり、比較的短尺な手摺り７がテーブルを使用する人数分（４本）外周縁に沿って配置されたもので、手摺り７はそのほぼ中央部が１つの手摺り用ブラケット１の支持部３によって支持され固着部２が天板５の裏面に固着されている。
【００４３】
このような手摺りは、歩行の際に掴みながら移動するというよりも、テーブルで食事などする使用者個人用の手摺りとし、使用者それぞれがテーブル周りで立ち上がったり、車いすに乗った身体をテーブルに引き寄せたり離れたり、飲食や作業中に身体を支えたり、飲食や作業中に必要な手提げ袋、あるいは杖など個人用の身の回りのものを手摺りの両側から引っかけて使用するなど、短尺な手摺りでありながらもその長さを腕部４に邪魔されることなく有効利用できることにより、テーブルやカウンターなどでの多様な使用に適したものとなっており、長テーブルを多人数で使用する際にもそれぞれの人が携行する荷物の保管も含め使用者にとって使い勝手のよいものとなっている。
【００４４】
図５乃至図８は本発明の異なる実施の形態を示す図であり、この実施の形態の手摺り用ブラケット８は、天板５の裏面５２に固定される固着部９と、前記手摺り６を固定する支持部１０と、前記固着部９と前記支持部１０とを連結する腕部１１とからなり、前記固着部９の下面９１における幅方向のほぼ中央部に、所定奥行き幅と高さを有する板状の連結部９２が垂設され、該連結部９２の片側の垂面に奥行き方向両端を開口した溝条凹部９３が形成されているとともに、前記溝状凹部９３の垂面に奥行き方向に延びるネジ長孔３個９３ａ，９３ｂ，９３ｃが上下方向に所定の間隔を有して形成されている。
【００４５】
前記腕部１１は全体が板状でその先部１１１は前記支持部１０の下面１０１に一体に連結し、基部１１２には前記連結部９２における溝条凹部９３に形成されたネジ長孔９３ａ，９３ｂ，９３ｃに対応する高さ位置にネジ孔１１２ａ，１１２ｂ，１１２ｃが形成され、前記固着部９に垂設した前記連結部９２の溝条凹部９３に奥行き方向に往復摺動可能に嵌装されている。
【００４６】
また、前記腕部１１の基部１１２が前記固着部９の前記連結部９２の垂面に形成された溝条凹部９３内の奥行き方向の所望の位置で重合され、前記ネジ孔１１２ａ，１１２ｂ，１１２ｃとネジ長孔９３ａ，９３ｂ，９３ｃとが連通され、固定ネジ９４ａ，９４ｂ，９４ｃの締結により前記腕部１１の基部１１２と固着部９の連結部９２とが固定されることにより、手摺り６が天板の外周縁５１との間隔の幅を調節可能に取り付けられる。
【００４７】
前記固着部９に垂設した前記連結部９２の溝条凹部９３は、嵌装されている前記腕部１１の基部１１２の上下動を規制することにより、良好な往復摺動を実現するとともに、溝条凹部９３が前記腕部１１の基部１１２を支えることで手摺り６への荷重に対する強化を図り、前記ネジ孔１１２ａ，１１２ｂ，１１２ｃとネジ長孔９３ａ，９３ｂ，９３ｃにおける固定ネジ９４ａ，９４ｂ，９４ｃの締結が容易に解除されない強固な連結を可能にしている。
【００４８】
図８に示すように、前記基部１１２は、前記固定ネジ９４ａ，９４ｂ，９４ｃのうち上下の固定ネジ９４ａ，９４ｃを一旦解除し、中央の固定ネジ９４ｂを緩めて溝条凹部９３の垂面から放すことにより固定ネジ９４ｂを中心として腕部１１が回動可能となるとともに、天板５の奥行き方向の裏面近傍まで反転させ、基部１１２を前記連結部９２の溝条凹部９３の垂面に再度重合させて嵌装し、再度前記ネジ孔１１２ａ，１１２ｂ，１１２ｃとネジ長孔９３ａ，９３ｂ，９３ｃとを連通させて固定ネジ９４ａ，９４ｂ，９４ｃを締結することにより、前記支持部１０に支持された手摺り６が天板５の外周縁５１から突出しない裏面５２に近接する位置に格納可能となる。
【００４９】
本実施の形態である手摺り用ブラケット８の使用に際しては、前記固着部９の矩形取付面９５の全面を天板５の裏面５２に当接させ、四隅に貫通形成した取付ネジ孔９６，９６，９６，９６に止めネジ７１，７１，７１，７１を螺着して、天板５の裏面５２に固着する。同様にして手摺り用ブラケット８を天板５の外周縁５１に沿って単数もしくは複数個配置し、それぞれの支持部１０に手摺り６を架設し止めネジ７２、７２により固着する。
【００５０】
前記手摺り６は、前記腕部１１の基部１１２において固定ネジ９４ａ，９４ｂ，９４ｃの締結を緩めて天板の奥行き方向に押し或いは引いて位置決めし、再度固定ネジ９４ａ，９４ｂ，９４ｃを締結する簡単な作業により、天板５の外周縁５１との間隔を所望の位置に調節することができるとともに、手摺り６をしばらく使用しない場合には、固定ネジ９４ａ，９４ｃを一旦解除し、中央の固定ネジ９４ｂを緩めてこの固定ネジ９４ｂを中心として腕部１１を天板５の奥行き方向に反転させ、再度固定ネジ９４ａ，９４ｂ，９４ｃを締結することにより、前記支持部１０に支持された手摺り６を天板５の外周縁５１から突出しない裏面５２に近接する位置に格納され、天板５の下方の利用に支障なく、手摺りの格納場所を他に準備する必要も無く、非常に便利である。
【００５１】
このように、本実施の形態の手摺り用ブラケットによれば使用者は天板を有する既存のテーブルその他の家具に前記天板の裏面を用いてその種類を選ばずに手摺りを設置する事が可能で且つ手摺りの使用時に邪魔になりづらく、使用の際に求められる強度を満足しつつ製造容易であって、目的に応じて前記天板の外周縁と前記手摺りの間隔が調整可能であり、手摺りを使用しない場合は前記天板の裏側に反転させて手摺りを外周縁から突出しない様に格納可能とする事ができるため、使用者の使用状況に合わせる事のできる今までにない手摺り用ブラケットを提供する事ができる。
【００５２】
図９（ａ）は本発明の異なる実施の形態を示す図であり、この実施の形態の手摺り用ブラケット１２は、固着部１３の下面における幅方向のほぼ中央部に直方体の連結部１３１が垂設され所定奥行き幅と高さを有するとともに、前記連結部１３１に腕部１４の基部１４１が奥行き方向に往復動可能に挿通する挿通孔１３１ａと、前記連結部１３１の側壁に当該挿通孔１３１ａに連通して奥行き方向に延びるネジ長孔１３１ｂとが形成され、また前記腕部１４の基部１４１には前記連結部１３１に形成したネジ長孔１３１ｂに一致する位置に一列にネジ孔１４１ａ，１４１ｂ，１４１ｃ，１４１ｄ，１４１ｅ，１４１ｆが形成されており、前記腕部１４の基部１４１を前記連結部１３１の前記挿通孔１３１ａに所望の位置まで挿通し、互いに連通させた前記ネジ孔１４１ａ，１４１ｂ，１４１ｃ，１４１ｄ，１４１ｅ，１４１ｆとネジ長孔１３１ｂとに固定ネジ１５を適宜締結して前記腕部１４の基部１４１と前記固着部１３の連結部１３１を固定することにより天板の外周縁と手摺りとの間隔を調節可能としている。
【００５３】
図９（ｂ）は本発明の異なる実施の形態を示す図であり、この実施の形態の手摺り用ブラケット１６は、図９（ａ）に示した実施例と同様に固着部１７の下面のほぼ中央部に直方体の連結部１７１が垂設され所定奥行き幅と高さを有するとともに、前記連結部１７１に腕部１８の基部１８１が奥行き方向に往復動可能に挿通する挿通孔１７１ａが形成され、本実施例では当該挿通孔１７１ａに連通して奥行き方向に延びるネジ長孔１７１ｂが前記連結部１７１の底面に形成され、また前記腕部１８の基部１８１には前記連結部１７１に形成したネジ長孔１７１ｂに一致する位置に一列にネジ孔１８１ａ，１８１ｂ，１８１ｃ，１８１ｄ，１８１ｅ，１８１ｆが形成されており、前記腕部１８の基部１８１を前記連結部１７１の前記挿通孔１７１ａに所望の位置まで挿通し、互いに連通させた前記ネジ孔１８１ａ，１８１ｂ，１８１ｃ，１８１ｄ，１８１ｅ，１８１ｆとネジ長孔１７１ｂとに固定ネジ１５を適宜締結して前記腕部１８の基部１８１と前記固着部１７の連結部１７１を固定することにより天板の外周縁と手摺りとの間隔を調節可能としている。
【符号の説明】
【００５４】
１  手摺り用ブラケット、２  固着部、３  支持部、４  腕部、５  天板、６  手摺り、７  手摺り、８  手摺り用ブラケット、９  固着部、１０  支持部、１１  腕部、１２  手摺り用ブラケット、１３  固着部、１４  腕部、１５  固定ネジ、１６  手摺り用ブラケット、１７  固着部、１８  腕部、２１  取付面、２２  下面、２３  取付ネジ孔、３１  支持面、３２  下面、３３  取付ネジ孔、４１  側壁、４２  側壁、４１ａ  基端部、４１ｂ  先端部、４２ａ  基端部、４２ｂ  先端部、５１  外周縁、５２  裏面、７１  止めネジ、７２  止めネジ、９１  下面、９２  摺動部、９３  溝条凹部、９３ａ，９３ｂ，９３ｃ  ネジ長孔、９４ａ，９４ｂ，９４ｃ  固定ネジ、９５  矩形取付面、１０１  下面、１１１  先部、１１２  基部、１１２ａ，１１２ｂ，１１２ｃ  ネジ孔、１３１  連結部、１３１ａ  挿通孔、１３１ｂ  ネジ長孔、１４１  基部、１４１ａ，１４１ｂ，１４１ｃ，１４１ｄ  ネジ孔、１８１ａ  挿通孔、１８１ｂ  ネジ長孔
【図１】
2016180262.tif 000003
【図２】
2016180262.tif 000004
【図３】
2016180262.tif 000005
【図４】
2016180262.tif 000006
【図５】
2016180262.tif 000007
【図６】
2016180262.tif 000008
【図７】
2016180262.tif 000009
【図８】
2016180262.tif 000010
【図９】
2016180262.tif 000011
【図１０】
2016180262.tif 000012
【図１１】
2016180262.tif 000013
【図１２】
2016180262.tif 000014
【図１３】
2016180262.tif 000015
【図１４】
2016180262.tif 000016
【図１５】
2016180262.tif 000017